(57)【要約】【課題】住宅全体の換気量を過不足のないレベルで最小限に抑え、省エネルギー効果を得ることができる換気制御装置を提供する。【解決手段】積算部が積算した既排気総量と目標排気総量記憶部が記憶する目標排気総量と所定時間に到達するまでの残時間と排気能力記憶部が記憶する換気装置の排気能力とに基づいて、残時間以内に前記目標排気総量の排気を達成するよう接続された１または複数の換気装置を制御する排気量制御部を備えた換気制御装置を提供する。【選択図】図３
2018054164.tif 000002
【特許請求の範囲】
【請求項１】
通信可能に接続された換気装置の運転を制御する換気制御装置であって、
所定時間以内に排気すべき排気量の総量である目標排気総量を記憶する目標排気総量記憶部と、
前記接続された１または複数の前記換気装置の排気能力を記憶する排気能力記憶部と、
前記接続された１または複数の前記換気装置が排気した既排気量を取得する排気量取得部と、
前記排気量取得部が取得した既排気量を積算して既排気総量を算出する積算部と、
前記積算部が積算した前記既排気総量と前記目標排気総量記憶部が記憶する前記目標排気総量と前記所定時間に到達するまでの残時間と前記排気能力記憶部が記憶する前記換気装置の排気能力とに基づいて前記残時間以内に前記目標排気総量の排気を達成するよう前記接続された１または複数の前記換気装置を制御する排気量制御部と、
を備えた換気制御装置。
【請求項２】
前記排気量制御部は、
前記排気能力で前記目標排気総量を達成するための最短排気時間を算出する最短排気時間算出部と、
少なくとも前記所定時間に到達するよりも前記最短排気時間以上前のタイミングで前記積算部が算出した前記既排気総量と前記目標排気総量とに基づいて当該目標排気総量に到達するまでに必要な残りの排気総量である残排気総量を算出する残排気総量算出部と、
前記残排気総量算出部が算出した残排気総量を基に前記接続された１または複数の前記換気装置のオン時間を設定する排気設定部と、
を備えた請求項１記載の換気制御装置。
【請求項３】
前記排気設定部は、
前記換気装置が複数種の排気能力を設定可能な場合には前記オン時間に加えて当該排気能力も設定する請求項２記載の換気制御装置。
【請求項４】
前記排気設定部は、
前記所定時間以内に前記既排気総量が前記目標排気総量を超えた場合には前記換気装置の排気を停止もしくは運転させない請求項１から３のいずれかに記載の換気制御装置。
【請求項５】
前記排気設定部は、
前記残時間において最大の前記排気能力で前記目標排気総量の排気を達成させる請求項１から４のいずれかに記載の換気制御装置。
【請求項６】
前記残時間と前記１または複数の換気装置それぞれの単位時間あたりのエネルギー効率及び当該エネルギー効率に対応する排気量とに基づいて前記残時間で前記目標排気総量の排気を達成させ且つ最もエネルギー効率が高い前記１または複数の換気装置の制御パターンを演算する演算部を備え、
前記排気設定部は、
前記演算部の演算結果に基づいて前記接続された１または複数の前記換気装置を制御する請求項１から４のいずれかに記載の換気制御装置。
【請求項７】
前記換気装置は、排気機能を有する請求項１から６のいずれかに記載の換気制御装置。
【請求項８】
前記排気機能を有する換気装置は、レンジフード、換気扇、熱交換気扇を含む請求項に記載の換気制御装置。
【請求項９】
前記換気装置は、
給気機能を有する給気ファンを含み、
前記排気量制御部は、
前記給気ファン以外の換気装置が排気動作する際に前記給気ファンを動作させる請求項１から７のいずれかに記載の換気制御装置。
【発明の詳細な説明】
【技術分野】
【０００１】
本発明は、換気制御装置に関する。
【背景技術】
【０００２】
従来の２４時間換気システムとして、建物内の少なくとも一部を換気する換気設備機器と、換気設備機器の運転を制御する制御装置と、を備えるものがある。そのような２４時間換気システムでは、建物内の少なくとも一部が使用されているか否かに拘わらず、換気設備機器が換気動作を行う（例えば、特許文献１を参照）。
【先行技術文献】
【特許文献】
【０００３】
【特許文献１】特開２００２−３９５７８号公報
【発明の概要】
【発明が解決しようとする課題】
【０００４】
上記のような２４時間換気システムでは、人の不在時のみ実現可能な省エネ換気であり、人が在室する際の省エネ効果は期待されていない。また人の不在を検出する仕組みが必要であることや、センサを利用した間欠運転制御においては検知状態が長く続く場合にはむしろ運転時間は長くなり、省エネ効果の訴求が困難となる。
【０００５】
本発明は、上記課題を解決するためになされたものであって、その目的は、人の在／不在に関わらず２４時間換気を満足しつつも省エネ換気を簡単に実現することができる換気制御装置を提供することにある。
【課題を解決するための手段】
【０００６】
上記課題を解決するために、本発明は、通信可能に接続された換気装置の運転を制御する換気制御装置であって、所定時間以内に排気すべき排気量の総量である目標排気総量を記憶する目標排気総量記憶部と、前記接続された１または複数の前記換気装置の排気能力を記憶する排気能力記憶部と、前記接続された１または複数の前記換気装置が排気した既排気量を取得する排気量取得部と、前記排気量取得部が取得した既排気量を積算して既排気総量を算出する積算部と、前記積算部が積算した前記既排気総量と前記目標排気総量記憶部が記憶する前記目標排気総量と前記所定時間に到達するまでの残時間と前記排気能力記憶部が記憶する前記換気装置の排気能力とに基づいて前記残時間以内に前記目標排気総量の排気を達成するよう前記接続された１または複数の前記換気装置を制御する排気量制御部と、を備え、これにより所期の目的を達成するものである。
【発明の効果】
【０００７】
本発明によれば、目標排気総量と既排気総量から残時間に最低限必要な排気総量を算出し、それに基づいて換気扇を動作させることにより、住宅全体の換気量を過不足のないレベルで最小限に抑え、省エネルギー効果を得ることができる。
【図面の簡単な説明】
【０００８】
【図１】実施の形態１に係る宅内ネットワークの接続概略図。
【図２】実施の形態１に係る換気制御装置が設置されている宅内空間の概略上面図。
【図３】実施の形態１に係る換気制御装置及び各換気装置の概略機能ブロック図。
【図４】実施の形態１に係る換気制御装置の構成図。
【図５】換気制御装置によって制御される換気装置の動作の一例を示すグラフ。
【図６】換気制御装置の情報処理を示すフローチャート。
【図７】換気装置の提供情報の一例を示す図。
【図８】換気制御装置が選択する換気装置の組み合わせを示す図。
【発明を実施するための形態】
【０００９】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態、並びに、ステップ（工程）及びステップの順序などは、一例であって本発明を限定する主旨ではない。よって、以下の実施の形態における構成要素のうち、本発明の最上位概念を示す独立請求項に記載されていない構成要素については、任意の構成要素として説明される。また、各図において、実質的に同一の構成に対しては同一の符号を付しており、重複する説明は省略又は簡略化する。
【００１０】
（実施の形態１）
最初に、本発明に係る換気システムの概要について図１、図２を参照しながら説明する。なお図１は、本実施の形態に係る宅内ネットワークの接続概略図、図２は、本実施の形態１に係る換気制御装置が設置されている宅内空間の概略上面図である。
［換気システム］
本実施の形態１の換気システムは、換気制御装置２と、天埋換気扇４、壁掛換気扇６、レンジフード５といった宅内空気を屋外へ排出する排気装置３と、宅内に外気を導入する給気装置である給気装置７を備えて構成される。
【００１１】
換気制御装置２は、一般住宅１内に設置され、天埋換気扇４、壁掛換気扇６、レンジフード５、給気装置７と、宅内ネットワーク３８で通信可能に接続されている。換気制御装置２は、外部ネットワークにも接続し、外部サーバと通信可能に接続されている。換気制御装置２は、例えば宅内に配置される複数の換気装置７０や外部サーバとは通信可能に接続されるが、特に有線、無線は限定しない。
【００１２】
排気装置は、上述の天埋換気扇４、壁掛換気扇６、レンジフード５、熱交換気扇（図示せず）等であり、すなわち排気装置３が該当する。排気装置３は、言い換えると一般住宅１の内部から外部への排気を行う排気機能を有する装置である。
【００１３】
給気装置７は、熱交換気扇の給気機能や給気ファン等が該当し、すなわち外部から一般住宅１内へ給気を行う給気機能を有する装置である。ただし、給気装置７は必ずしもファンを備えている必要は無く、例えば宅内外を連通する風路と、当該風路を開閉する開閉部があり、この開閉部を電気的に開閉できるものであればよい。
【００１４】
換気装置７０は、排気装置３と、給気装置７とが該当する。言い換えると、換気装置７０は、排気或いは給気のいずれか一方の機能を少なくとも有する装置とすることができる。
【００１５】
情報入力用端末８は、換気制御装置２と宅内ネットワーク３８または外部ネットワークを介して通信可能に接続される。情報入力用端末８は、本実施の形態の換気システムを構成するうえで必要な情報を換気制御装置２に記憶させるもので、携帯電話、スマートフォン、タブレットといった機器が例として挙げられる。
【００１６】
続いて、図３、図４、図５を参照しながら換気制御装置２、天埋換気扇４、壁掛換気扇６、レンジフード５、給気装置７を構成する各機能について説明する。なお図３は、本実施の形態に係る換気制御装置及び各換気装置の概略機能ブロック図、図４は、本実施の形態に係る換気制御装置の構成図、図５は、換気制御装置によって制御される換気装置の動作の一例を示すグラフである。
［換気制御装置］
換気制御装置２は、通信部９と、記憶部１０と、排気量制御部１１とを備えている。
【００１７】
通信部９は、情報入力用端末８や外部サーバと通信可能に接続されるブロードバンド用受信部１２と、個々の換気装置７０からの無線信号を受信する換気用受信部１５と、個々の換気装置７０に運転指示を無線で行う換気用送信部１６とを備えている。
【００１８】
換気用受信部１５は、天埋換気扇４、壁掛換気扇６、レンジフード５、給気装置７の送信部２２、送信部２３、送信部２８から送信される無線信号を受信する。
【００１９】
換気用送信部１６は、排気量制御部１１が指示する動作を無線信号として受信部２４、受信部２５、受信部２９へ送信する。
【００２０】
記憶部１０は、目標排気総量記憶部１４と、排気能力記憶部１３とを備え、排気量制御部１１が処理上で扱う情報を必要に応じて読み出すことができる。
【００２１】
目標排気総量記憶部１４は、情報入力用端末８に入力された宅内の目標排気総量を、通信部９、すなわちブロードバンド用受信部１２や宅内ネットワーク３８を経由して入手する。言い換えると、例えばユーザが情報入力用端末８を利用して、宅内の目標排気総量を設定することで、目標排気総量記憶部１４に目標排気総量が記憶される。当然ながら目標排気総量は、各住宅の広さや部屋の数、住宅の気密性、断熱性能等に応じて異なるため、目標排気総量は住宅ごとに異なる値が設定されることになる。目標排気総量は、所定時間以内に所定の住宅内から排気すべき排気量の総量であり、所定時間とは例えば１日（２４時間）であったり、あるいは３時間であったり環境や取り決めなどにより異なる。よって本実施の形態では、所定時間は、換気装置７０が取り付けられる住宅建物の環境基準や換気基準等の法令、または住宅固有の環境条件によってユーザが任意に設定できる時間とし、一例としてこれを３時間とする。
【００２２】
排気能力記憶部１３は、換気制御装置２に接続される１または複数の排気装置３について、個々の排気装置３の排気能力を記憶する。排気能力としては、排気装置３の単位時間当たりの最大排気量が挙げられる。さらに例えば排気装置３の排気能力（排気設定）を複数設定可能な場合、排気設定である例えば１速、２速やあるいは弱、中、強と、この排気設定に設定した際の単位時間当たりの排気量とを対応付けて排気能力として記憶してもよい。排気能力は、例えば情報入力用端末８から入力されてもよいし、排気量制御部１１が、新たに接続された排気装置３に問合せを行うことによって取得し、排気能力記憶部１３に記憶してもよい。また後述する排気量と給気量をバランスする目的のため、排気能力記憶部１３は給気装置７の給気能力も排気能力同様に記憶してもよい。
【００２３】
排気量制御部１１は、排気量取得部１７と、積算部１８と、残排気総量算出部１９と、最短排気時間算出部２０と、排気設定部７１と、演算部７２とを備える。
【００２４】
排気量取得部１７は、接続される排気装置３それぞれが既に排気した排気量である既排気量を取得する。ここで既排気量の取得は、例えば以下のように行われる。
【００２５】
すなわち、排気量取得部１７は、排気装置３が排気を開始したタイミングで、単位時間当たりの排気量を排気装置３から受信する。また、排気量取得部１７は、排気装置３が排気量設定を変更したタイミングで、変更後の単位時間当たりの排気量を排気装置３から受信する。さらに、排気量取得部１７は、排気装置３が排気を停止したタイミングで、停止した旨を排気装置３から受信する。これらを受信した排気量取得部１７は、単位時間当たりの排気量と、当該排気量で動作した時間とを掛け算することで、排気装置３が既に排気した既排気量を取得する。
【００２６】
また、別の方法としては、所定の時間間隔で、排気量取得部１７が、各排気装置３に問合せを行ってもよい。これに対して排気装置３が、前回の問合せから今回の問合せまでの間に排気した既排気量を排気量取得部１７に返信する。
【００２７】
上記処理を接続されている全ての排気装置３に対して行うことにより、排気量取得部１７は、既排気量を取得することができる。
【００２８】
積算部１８は、所定の時間間隔で、排気量取得部１７が取得した全ての既排気量を取得して足し合わせ、すなわち積算する。これにより、宅内で接続された全ての排気装置３を介して排気された既排気総量を算出することができる。
【００２９】
残排気総量算出部１９は、目標排気総量記憶部１４に記憶された所定時間あたりの目標排気総量から、積算部１８が算出した、既排気総量を減算することによって、目標に対して不足している排気総量である残排気総量を算出する。ここで、残排気総量算出部１９が残排気総量を算出するタイミングは、当然、目標排気総量が設定された所定時間よりも短い時間内に行われる。
【００３０】
最短排気時間算出部２０は、排気能力記憶部１３に記憶されている、接続された全ての排気装置３の最大排気能力を用いて排気を行った場合の、目標排気総量を達成するまでに必要な時間である最短排気時間を算出する。
【００３１】
排気設定部７１は、目標排気総量を達成するための所定時間と、既排気総量を算出した時間Ｂとから、目標排気総量を達成するための所定時間までの残りの時間である残時間を算出する。残時間は、所定時間と、起点Ａから時間Ｂまでの経過時間との差を取ることで行われる。この残時間は、すなわち目標排気総量を達成するために残された時間である。また、目標に対して不足している排気総量である残排気総量は残排気総量算出部１９によって算出されるので、残時間と残排気総量とから、例えば残時間の間に平均してどの程度の排気量で排気装置３を動作させればよいかを判断可能となる。なお、残時間の間、どのように各排気装置３を動作させるかの詳細については後述するが、例えば全ての排気装置３を、残排気量を排気するまでの時間、最大排気風量で動作させるという制御パターンとしてもよい。これにより、最短時間で目標排気総量を達成することが可能となる。当然、他の制約がないのであれば残時間の間の排気装置３の動作は、エネルギー効率が高く、すなわち省エネルギーで動作させることが好ましい。このような場合には、演算部７２が、各換気装置７０の消費エネルギーと排気風量とに基づいて演算し、各換気装置７０の最適な制御パターンを決定する。制御パターンが決定されると、排気設定部７１は、換気用送信部１６を介して各換気装置７０に動作命令を送信し、すなわち制御する。
【００３２】
なお、各部の連携動作については後ほどフローチャートを利用して後述する。
【００３３】
換気制御装置２は、図４に示すように、マイクロコンピュータ４０として設けられる。マイクロコンピュータ４０は、内部にＣＰＵ３１（Ｃｅｎｔｒａｌ  Ｐｒｏｃｅｓｓｉｎｇ  Ｕｎｉｔ）、ＲＡＭ３２（Ｒａｎｄｏｍ  Ａｃｃｅｓｓ  Ｍｅｍｏｒｙ）、ＲＯＭ３３（Ｒｅａｄ  Ｏｎｌｙ  Ｍｅｍｏｒｙ）、記憶部１０としてＨＤＤ３４（Ｈａｒｄ  Ｄｉｓｋ  Ｄｒｉｖｅ）を備え、通信部９として機能するデバイスとしての有線通信モジュール３７及び無線通信モジュール３６が内部バス４１を介して接続されている。ＣＰＵ３１は、例えばＲＡＭ３２を作業領域として利用し、ＲＯＭ３３に記憶されているプログラムを実行し、当該実行結果に基づいて記憶部１０や各デバイスとデータや命令を授受することにより各デバイスの動作を制御する。
【００３４】
排気量制御部１１や、当該排気量制御部１１に属する各部は、ＲＯＭ３３に記憶されているプログラムであり、ＣＰＵ３１に実行されることであらかじめ決められた処理を実行する。ＨＤＤ３４やＲＯＭ３３、ＲＡＭ３２は、必ずしもこれに限らず、メモリとして機能するのであれば他種のメモリを代用可能である。
【００３５】
無線通信モジュール３６、有線通信モジュール３７等のデバイスは、必ずしもマイクロコンピュータ４０に備える必要は無く、外部接続としてもよい。
［排気装置と給気装置］
排気装置の一例として挙げられる天埋換気扇４、壁掛換気扇６、レンジフード５と、給気装置７は、送信部２２、送信部２３、送信部２８と、受信部２４、受信部２５、受信部２９と、記憶部２６、記憶部２７、記憶部３０とを備えている。
【００３６】
天埋換気扇４の送信部２２は、記憶部２６から提供すべき提供情報を読み出し、宅内ネットワーク３８を介して換気制御装置２に無線通信で送信する。
【００３７】
記憶部２６は、換気制御装置２から要求される可能性のある提供情報を記憶する。記憶部２６が記憶する提供情報は、天埋換気扇が運転中か否かを示す運転状況と、運転中であればその排気量設定（弱、中、強など）と、排気量設定に対応する単位時間当たりの排気風量等が挙げられるが、これに限定されない。
【００３８】
なお、天埋換気扇４に限らず、壁掛換気扇６、レンジフード５、給気装置７、その他様々な排気装置、給気装置も換気制御装置２に接続されて機能する際には基本的に上記構成を有する。
【００３９】
［宅内ネットワーク］
換気制御装置２と排気装置３と給気装置７とを接続する宅内ネットワーク３８は、例えば、Ｄｉｇｉｔａｌ  Ｅｎｈａｎｃｅｄ  Ｃｏｒｄｌｅｓｓ  ＴｅｌｅｃｏｍｍｕｎｉｃａｔｉｏｎｓやＷｉ−ＦＩ（登録商標）方式を用いた無線通信を利用できる。
【００４０】
続いて、図３、図５、図６を参照しながら換気制御装置２の動作について説明する。なお図５は換気制御装置によって制御される換気装置の動作の一例を示すグラフ、図６は、換気制御装置の情報処理を示すフローチャートを示しており、Ｓはステップを意味する。ただし、ステップは数値の小さい順に処理されるとは限らない。
【００４１】
換気制御装置２は、あらかじめ情報入力用端末８によって設定された目標排気総量４６と、目標排気総量４６を達成させる所定の時間Ｄ（所定時間に該当し、本実施の形態においては３時間）を記憶部１０に記憶しているものとする。
【００４２】
換気制御装置２は、排気風量の制御を開始するべく起点Ａからタイマーを開始する（Ｓ１０１）。時間Ｄは起点Ａから３時間後を示し、タイマーが時間Ｄに到達した後はリセットされて再び０からタイマーを開始する。これらは時間Ｄの設定変更がない限り、ルーチンとして繰り返される。
【００４３】
ここで壁掛換気扇６が使用者の意思によってタイマー開始時の起点Ａから時間Ｂまで３０ｃｆｍの排気風量で運転し、時間Ｂで停止したと仮定する。この場合、起点Ａのタイミングで起点Ａの時刻と排気風量（３０ｃｆｍ）が、時間Ｂのタイミングでの時間Ｂの時刻と排気風量（３０ｃｆｍ）が、それぞれ送信部２２から換気用受信部１５を経由して排気量取得部１７に取得される。
【００４４】
排気量取得部１７は、これら取得した情報に基づき、起点Ａから時間Ｂまでの既排気量を算出して積算部１８に送信する。当該算出は、換気装置７０から情報が得られていない起点Ａから時間Ｂの間も既に得られた条件で動作しているものとして、所定の時間間隔（例えば１秒毎）で算出される。
【００４５】
積算部１８は、排気量取得部１７が取得した既排気量を足し合わせることにより、既排気総量を算出する（Ｓ１０２）。ここでは、壁掛換気扇６しか動作していないため、既排気量＝既排気総量となる。
【００４６】
なお、排気量制御部１１では、既排気総量４３が目標排気総量４６に到達しているか否かを常に監視する（Ｓ１０３）。
【００４７】
ここで、到達していない場合、残排気総量算出部１９は既排気総量４３と目標排気総量４６の差から残排気総量４４を算出する（Ｓ１０３Ｎｏ→Ｓ１０４）。また最短排気時間算出部２０は、接続されている排気装置３の最大排気能力によって残排気総量４４を排気する際に必要な最短排気時間４５を算出する（Ｓ１０５）。なお、最大排気能力は、天埋換気扇４が１５０ｃｆｍ、壁掛換気扇６が３０ｃｆｍ、レンジフード５が１５０ｃｆｍであるものとする。
【００４８】
続いて、排気設定部７１は、最短排気時間４５と時間Ｄまでに残された残時間４２とを比較する（Ｓ１０６）。ここで時間Ｂの時点では排気設定部７１は残時間４２が最短排気時間４５よりも十分に大きいため、現状を維持する判断を行う（Ｓ１０６Ｎｏ→Ｓ１０２）。
【００４９】
その後、使用者によって換気装置の運転が行われないまま、残時間と最短排気時間が等しくなる時間Ｃに到達したとき、排気設定部７１は、各排気装置に対して強制的に最大排気量で排気運転を開始（強制最短排気運転）するよう換気用送信部１６を通じて指示を行う（Ｓ１０６Ｙｅｓ→Ｓ１０７）。
【００５０】
ここで、上記処理では最短排気時間４５と残時間４２の比較を行い、強制最短排気運転の開始を判断（Ｓ１０６）するとしたが、例えば排気装置３の最大排気能力と残時間の掛け算から得られる最大排気可能総量（図示せず）と残排気総量４４とを比較してもよい。この場合、最大排気可能総量が残排気総量４４よりも大きい場合は現状を維持し、また最大排気可能総量が残排気総量４４と同等以下となった場合は強制最短排気運転を開始するもので同様の効果を実現できる。
【００５１】
上記指示に従い天埋換気扇４は１５０ｃｆｍ、壁掛換気扇６は３０ｃｆｍ、レンジフード５は１５０ｃｆｍ、すなわち最大排気量で時間Ｃから運転を開始する。これにより、時間Ｄにおいて目標排気総量４６に到達する（Ｓ１０７→Ｓ１０２→Ｓ１０３の繰り返し）。
【００５２】
その後、タイマーが時間Ｄに到達し、残排気総量および残時間が０に到達し目標排気総量４６を満足したと判断すると、排気設定部７１は、強制最短排気運転を停止し、同時にタイマーと既排気総量を０にリセット（Ｓ１０３→Ｓ１０８→Ｓ１０９→Ｓ１１２）する。
【００５３】
図６において、所定３時間のうち時間Ｃから時間Ｄの最後の残時間で強制最短排気運転を行ったが、もし使用者の意思によって時間Ｂから時間Ｃの間に排気装置３のいずれかもしくは複数台が運転し、強制最短排気運転を行うより以前に目標排気総量４６を満足する場合が想定される。このような場合には、排気設定部７１は、強制最短排気運転は行わず現状を維持するように排気装置３に指示を出す（Ｓ１０８→Ｓ１１０）。そしてそのまま３時間が経過すればタイマーと既排気総量を０にリセットする（Ｓ１１１Ｙｅｓ→Ｓ１１２）。
【００５４】
以上、本実施の形態に係る換気制御装置２は、上記に示す処理により、目標排気総量４６を所定時間内に満足するよう排気装置３の運転を制御することができる。またさらに、所定の３時間内で接続されるすべての排気装置３が運転した排気総量をカウントし、その排気総量が目標排気総量４６を大きく超過させることなく制御を行うことで省エネルギー効果を訴求することができる。
【００５５】
また給気装置７は、換気制御装置２から排気装置３（天埋換気扇４、壁掛換気扇６、レンジフード５）による総排気量の情報を受信部２９を通じて受け取ることで、総排気量と同等量となる給気量を宅内に供給するよう働く。この給気装置７の動作は排気量と給気量をバランスさせることが目的であり、宅内が極端な負圧になることを防止する効果を提供するものである。
【００５６】
また上記の換気装置７０の記憶部２６、２７、３０で取り扱う提供情報の例は運転状況と排気風量としたが、図７に示すように換気装置固有の製品ＩＤ５１と、換気装置が持つ設定可能な風量を示す排気能力５２と、換気装置が搭載しているセンサを示す搭載センサ５３と、現在の運転状況を示す現在風量５４と、搭載センサの検知状況を示すセンサ状態５５と、使用者が強制的に換気装置を運転させているか否かを示す強制運転５６と、現在風量での消費電力を示す消費電力５７とを提供情報４７として換気制御装置２に送信する構成としても良い。これら換気装置固有の製品情報５８と現在情報５９により、演算部７２は、例えば接続される個々の換気装置７０の電気特性を把握し、最も消費電力が少なくなる換気装置７０の組み合わせを選択し、目標排気総量４６を満足するだけでなく、消費電力も抑制する排気制御を実現することも可能となる。
【００５７】
図８は換気制御装置２が消費電力を最も抑制することが可能な換気装置の組み合わせを選択する一例を示したものである。宅内において所定時間内に必要な排気風量を２５０ｃｆｍと置いた場合、演算部７２は、個々の換気装置の風量とその消費電力の情報から消費電力が最も低くなる最適な組み合わせ６５を選択し、換気装置７０を制御することが実現可能となる。
【産業上の利用可能性】
【００５８】
以上のように、本発明に係る換気制御装置は、換気制御装置に接続される換気装置と、その使用状態に応じて最も効率的で最短となる駆動条件を割り出す処理を実行可能としているため、戸建て住宅やマンション等の複合住宅に適用可能である。
【符号の説明】
【００５９】
１    一般住宅
２    換気制御装置
３    排気装置
４    天埋換気扇
５    レンジフード
６    壁掛換気扇
７    給気装置
８    情報入力用端末
９    通信部
１０，２６，２７，３０    記憶部
１１    排気量制御部
１２    ブロードバンド用受信部
１３    排気能力記憶部
１４    目標排気総量記憶部
１５    換気用受信部
１６    換気用送信部
１７    排気量取得部
１８    積算部
１９    残排気総量算出部
２０    最短排気時間算出部
２２，２３，２８    送信部
２４，２５，２９    受信部
３１    ＣＰＵ
３２    ＲＡＭ
３３    ＲＯＭ
３４    ＨＤＤ
３６    無線通信モジュール
３７    有線通信モジュール
３８    宅内ネットワーク
４０    マイクロコンピュータ
４１    内部バス
４２    残時間
４３    既排気総量
４４    残排気総量
４５    最短排気時間
４６    目標排気総量
４７    提供情報
５１    製品ＩＤ
５２    排気能力
５３    搭載センサ
５４    現在風量
５５    センサ状態
５６    強制運転
５７    消費電力
５８    製品情報
５９    現在情報
６５    組み合わせ
７０    換気装置
７１    排気設定部
７２    演算部
【図１】
2018054164.tif 000003
【図２】
2018054164.tif 000004
【図３】
2018054164.tif 000005
【図４】
2018054164.tif 000006
【図５】
2018054164.tif 000007
【図６】
2018054164.tif 000008
【図７】
2018054164.tif 000009
【図８】
2018054164.tif 000010